(57)【要約】【課題】設備費を安くすることができる消火設備を提供する。【解決手段】消火設備Ｓにおいて、放水手段が、防火対象に沿って延在して配設され、周壁に複数の放水孔１ａを有するパイプ状の放水ヘッド１であって、回転継手機構６を介して消火水供給側の配管Ｐ２に接続され、中心軸回りに回転可能な放水ヘッド１を含むものとし、放水ヘッド１が、中心軸回りに回転しながら、複数の放水孔１ａから放水可能なものとする。【選択図】図１
2011194016.tif 000002
【特許請求の範囲】
【請求項１】
火災感知手段と、消火水を放水する放水手段と、該放水手段に消火水を供給する消火水供給手段と、該放水手段と該消火水供給手段との間を常時は閉弁して遮断し、火災時は開弁して連通させる弁と、火災時に該弁を開弁させるために、該火災感知手段からの感知信号に基づき、開弁信号を送出する信号制御手段とを備えた消火設備であって、
該放水手段が、防火対象に沿って延在して配設され、周壁に複数の放水孔を有するパイプ状の放水ヘッドであって、回転継手機構を介して消火水供給側の配管に接続され、中心軸回りに回転可能な放水ヘッドを含み、
該放水ヘッドが、中心軸回りに回転しながら、該複数の放水孔から放水可能であることを特徴とする消火設備。
【請求項２】
該放水ヘッドが、該複数の放水孔から該防火対象や火源に向かって放水可能であることを特徴とする請求項１に記載の消火設備。
【請求項３】
該防火対象が建物等であり、該放水ヘッドが該建物等の外壁及び／又は床下等に沿って延在して配設され、該外壁及び／又は床下等や火源に向かって放水可能であることを特徴とする請求項２に記載の消火設備。
【請求項４】
該回転継手機構が、スイベルジョイントを含むものであることを特徴とする請求項１乃至３の何れかに記載の消火設備。
【請求項５】
該放水ヘッドが、該複数の放水孔からの放水の反力により、中心軸回りに回転可能であることを特徴とする請求項１乃至４の何れかに記載の消火設備。
【請求項６】
該複数の放水孔が、該放水ヘッドの径方向に対し斜めに穿設されていることを特徴とする請求項５に記載の消火設備。
【請求項７】
該放水ヘッドを、その中心軸回りに回転駆動する動力装置をさらに備えていることを特徴とする請求項１乃至４の何れかに記載の消火設備。
【請求項８】
該放水ヘッドの外側に設けられた筒状のカバー体であって、周方向に部分的に開口する開口部を周壁に有するカバー体をさらに備え、該放水ヘッドが該カバー体に対して回転可能であることを特徴とする請求項１乃至７の何れかに記載の消火設備。
【請求項９】
該火災感知手段が、炎センサと人体センサを有することを特徴とする請求項１乃至８の何れかに記載の消火設備。
【発明の詳細な説明】
【技術分野】
【０００１】
この発明は、消火設備に関するものである。
【背景技術】
【０００２】
文化財等の建物の軒下や床下等は、放火されることが多く、本来は火の気のない場所であるが、火災を早期に発見するために火災報知設備が設けられることがある。しかしながら、放水によって火災の消火や抑制をする消火設備が設けられることは少ない。
【０００３】
これは、消火設備となると、スプリンクラヘッドやドレンチャーヘッド等の複雑な構造で高価な機器を含む設備となり、設備費が高くなることが一因である。
【０００４】
また、文化財等の建物に限らず、一般の建物の軒下や床下等やゴミ集積所といった場所も、放火されることは多いが、前記のように設備費が高いことから、消火設備が設けられることはほとんどない。
【０００５】
なお、前記のように放火の多い場所に設けられる設備として、火災を発見すると共に、その原因が放火であることを特定することができるものが従来より知られている（例えば、特許文献１参照）。
【先行技術文献】
【特許文献】
【０００６】
【特許文献１】特開２０００−１２３２６６号公報
【発明の概要】
【発明が解決しようとする課題】
【０００７】
この発明は、上記事情に鑑み、設備費を安くすることができる消火設備を提供することを目的とする。
【課題を解決するための手段】
【０００８】
この発明は、火災感知手段と、消火水を放水する放水手段と、該放水手段に消火水を供給する消火水供給手段と、該放水手段と該消火水供給手段との間を常時は閉弁して遮断し、火災時は開弁して連通させる弁と、火災時に該弁を開弁させるために、該火災感知手段からの感知信号に基づき、開弁信号を送出する信号制御手段とを備えた消火設備であって、該放水手段が、防火対象に沿って延在して配設され、周壁に複数の放水孔を有するパイプ状の放水ヘッドであって、回転継手機構を介して消火水供給側の配管に接続され、中心軸回りに回転可能な放水ヘッドを含み、該放水ヘッドが、中心軸回りに回転しながら、該複数の放水孔から放水可能であることを特徴とする消火設備である。
【０００９】
また、この発明は、該放水ヘッドが、該複数の放水孔から該防火対象や火源に向かって放水可能であることを特徴とする消火設備である。
【００１０】
なお、この発明において、該防火対象は、文化財等の建物、一般住宅等の建物、ゴミ集積所等（以下、建物等という）とすることができる。
【００１１】
また、この発明は、該防火対象が建物等であり、該放水ヘッドが該建物等の外壁及び／又は床下等に沿って延在して配設され、該外壁及び／又は床下等や火源に向かって放水可能であることを特徴とする消火設備である。
【００１２】
また、この発明は、該回転継手機構がスイベルジョイントを含むことを特徴とする消火設備である。
【００１３】
また、この発明は、該放水ヘッドが、該複数の放水孔からの放水の反力により、中心軸回りに回転可能であることを特徴とする消火設備である。
【００１４】
また、この発明は、該複数の放水孔が、該放水ヘッドの径方向に対し斜めに穿設されていることを特徴とする消火設備である。
【００１５】
なお、この発明において、該放水ヘッドは、動力装置により、中心軸回りに回転駆動されるものとすることができる。
【００１６】
また、この発明は、該放水ヘッドの外側に設けられた筒状のカバー体であって、周方向に部分的に開口する開口部を周壁に有するカバー体をさらに備え、該放水ヘッドが該カバー体に対して回転可能であることを特徴とする消火設備である。
【００１７】
また、この発明は、該火災感知手段が炎センサと人体センサを有することを特徴とする消火設備である。
【発明の効果】
【００１８】
この発明においては、パイプ状の放水ヘッドは、簡単な構造のものであり、安価に製造可能である。
【００１９】
従って、この発明によれば、消火設備の設備費を安くすることができる。
【００２０】
また、この発明においては、防火対象に沿って延在して配設され、中心軸回りに回転しながら、複数の放水孔から放水可能な放水ヘッドを備えていることで、その放水ヘッドにより防火対象や火源等に向けて放水できるようにすることができる。
【００２１】
また、この発明においては、放水ヘッドによって防火対象や火源に向けて放水できるようにすることで、放水ヘッドからの放水により、防火対象を燃え難い状態にして、防火対象が燃えるのを防ぐことができたり、また、火源の火を消したり、その勢いを抑制したりすることができる。
【００２２】
また、この発明においては、防火対象を、文化財等の建物、一般住居等の建物、ゴミ集積所等（以下、建物等という）とすることができ、放水ヘッドをそれら建物等の外壁及び／又は床下等に沿って延在させて配設することで、放水ヘッドにより、それら建物等の外壁及び／又は床下等や火源に向けて放水できるようにすることができ、そのようにすることで、放水ヘッドからの放水により、それらの外壁や床下等を燃え難い状態にすることができ、防火対象である建物等が燃えるのを防ぐことができたり、また、火源の火を消したり、その勢いを抑制したりすることができる。
【００２３】
また、この発明においては、放水ヘッドを複数の放水孔からの放水の反力により、中心軸回りに回転可能とすることができ、そのようにすることで、動力源を別途設けることなしに、放水ヘッドを回転可能とすることができる。
【００２４】
また、この発明においては、周方向に部分的に開口する開口部を周壁に有し、放水ヘッドの外側に設けられる筒状のカバー体を備えるものとすることができ、そのようにすることで、放水ヘッドが中心軸回りに回転しながら、放水孔から放水する際に、カバー体の開口部を放水孔が通過するときだけ、開口部を介して外部に放水するようにすることができ、放水ヘッドの周方向の放水範囲を制限することができる。
【００２５】
また、この発明においては、該火災感知手段を炎センサと人体センサを有するものとすることができ、そのようにすることで、炎感知と人感知で放火による火災と判断させることができ、非火災による起動を防ぐことができる。
【図面の簡単な説明】
【００２６】
【図１】この発明の一実施形態の消火設備のシステム構成図である。
【図２】（ａ）が放水ヘッドの放水孔が形成されている側の正面図であり、（ｂ）がそのＡ−Ａ線部の断面図である。
【図３】他の態様の放水ヘッドの放水ヘッドが形成されている側の正面図であり、（ａ）乃至（ｄ）として４つの態様を示したものである。
【図４】放水ヘッドと二次側配管との接続部分を示した図である。
【図５】放水ヘッドにカバー体が外装された状態を示した斜視図である。
【図６】放水ヘッドの建物へ配設された状態及びその建物への放水の状態を示したイメージ図であり、（ａ）が建物全体について示したもので、（ｂ）建物の外壁部分について拡大して示したものである。
【図７】この発明の他の実施の形態の消火設備のシステム構成図である。
【００２７】
図１において、消火設備Ｓは、放水ヘッド１と、一斉開放弁２と、一斉開放弁２の開閉制御用の電動弁３と、火災感知手段の一例である放火センサ４と、信号制御手段の一例である放火抑制制御盤５等を備え、一斉開放弁２の一次側が一次側配管Ｐ１を介して消火水供給源である水道管Ｐ０に接続され、一斉開放弁２の二次側が二次側配管Ｐ２を介して放水ヘッド１に接続されており、放火センサ４と電動弁３がそれぞれ信号線ＳＤ，ＳＭを介して放火抑制制御盤５に接続されている。
【００２８】
消火設備Ｓにおいて、一斉開放弁２は常時は閉状態にあって、その一次側と二次側との間を遮断しており、水道管Ｐ０の水は放水ヘッド１には供給されず、放水ヘッド１から放水はされず、火災時、放火センサ４が火災を感知すると、火災感知信号を放火抑制制御盤５に送り、それを受けて放火抑制制御盤５は開弁信号を電動弁３に送り、電動弁３の動作により一斉開放弁２が開弁し、一次側と二次側が連通し、水道管Ｐ０の水が放水ヘッド１に供給され、放水がされるようになっている。
【００２９】
この消火設備Ｓは、その防火対象を、文化財等の特別な建物、住宅等の一般の建物、ゴミ集積所等とすることができ、放火が多いとされるそれら建物等の周囲等に設備することができる。
【００３０】
放水ヘッド１は、図２（ａ）に示すように、パイプ状のものであり、その周壁１ｗに複数の放水孔１ａが形成されたものとなっている。この放水ヘッド１は、パイプ状のものに複数の孔を形成しただけの簡単な構造のものであり、スプリンクラヘッドやドレンチャーヘッドといった複雑な構造のものに比べれば、安価に製造可能なものであり、この放水ヘッド１を備えていることで、消火設備Ｓは設備費を安くすることができるものとなっている。
【００３１】
放水ヘッド１の複数の放水孔１ａの配置及びその形状についてであるが、図２に示したものは、図２（ａ）の通り、周壁１ｗの周方向に沿って複数個並び、且つ軸方向（長さ方向）に沿って複数個並ぶ配置となっており、また、図２（ｂ）の通り、それら放水孔１ａが周壁１ｗの周方向の片側略半分のみにある配置となっており、その形状は何れも丸形になっている。
【００３２】
なお、放水ヘッド１における複数の放水孔１ａの配置及びその形状等は適宜変えることができ、例えば、図３の（ａ）に示すように、複数の放水孔が軸方向に一列並ぶ配置としてもよいし、（ｂ）に示すように、複数の放水孔が軸方向に沿っては並ぶが、周方向に沿っては並ばない配置、具体的には、軸方向に対して斜め（周方向に対して斜めともいえる）に並ぶ複数の放水孔が軸方向に所定の間隔で並ぶ配置としてもよいし、（ｃ）及び（ｄ）に示すように、放水孔１ａの形状を丸形に代えて細長い形のスリット状にしてもよく、それらを周方向に沿って延在させつつ、周方向及び軸方向に複数個並ぶ配置（ｃ）にしたり、軸方向に対して斜め（周方向に対して斜めともいえる）に延在させつつ、軸方向に所定の間隔で複数個並ぶ配置（ｄ）にしたりしてもよい。
【００３３】
さらに、放水ヘッド１は、図４に示すように、回転継手機構６を介して中心軸Ａ回りに回転Ｒ可能に消火水供給側の二次側配管Ｐ２に接続されており、それにより中心軸回りに回転しながら、放水孔１ａから放水可能になっている。なお、回転継手機構６は、例えばスイベルジョイントによって構成されるものとすることができる。
【００３４】
放水ヘッド１を回転させる動力についてであるが、モーター等の動力源を別途設けるようにしてもよいが、本実施の形態では、放水孔１ａからの放水による反力を利用して回転力を得るものとなっている。すなわち、放水ヘッド１の放水孔１ａは、図２（ｂ）に示すように、放水ヘッド１の径方向に対して斜めの方向に穿設されており、放水孔１ａからの放水による反力が放水ヘッド１を中心軸回りに回転させる力として作用するようになっている。
【００３５】
なお、放水ヘッド１は、図５に示すように、筒状のカバー体７が設けられたものとしてもよい。このカバー体７は、放水ヘッド１の外側に設けられるものであるが、カバー体７に対し、内部で放水ヘッド１が回転できるように設けられるものである。さらに、カバー体７は、周方向に部分的に開口する開口部７ａを周壁７ｗに有しており、このカバー体７を装着することで、放水ヘッド１を、それが中心軸回りに回転しながら放水する際に、その放水孔１ａがカバー体７の開口部７ａを通過するときだけ、開口部７ａを介して外部に放水させるようにするすることができるものとなっている。すなわち、このカバー体７を装着することで、放水ヘッド１はその周方向の放水範囲を制限することができることとなる（これにより、例えば、後記する図６（ａ）に示すような設置方法で建物Ｈが道路に面していた場合、建物Ｈ側は放水し、道路側は放水しないようにすることで、放水を開始した際に道路を歩いている人を濡らすことを防ぐようにすることができる。）。なお、図５において、放水ヘッド１の複数の放水孔１ａは、例えば、軸方向に一列並ぶ配置のものを示している。
【００３６】
ここで、消火設備Ｓは、前記したように、その防火対象を、文化財等の特別な建物、住宅等の一般の建物、ゴミ集積所等とすることができ、放火が多いとされ、通常火の気ない、それら建物等の周囲等に設備することができるものであるが、それに対応して、消火設備Ｓは、火災感知手段として放火センサ４を備えている。この放火センサ４は、炎センサと人体センサを有し、炎の感知と、人体の感知をすることができるものであり、炎センサが炎を感知し、且つ人体センサが人体を感知したときに、消火設備Ｓが放火による火災発生と判断するようにすることで、非火災による起動を防ぐようにすることができる。
【００３７】
なお、本実施の形態において、放火センサ４は炎センサと人体センサが１つのケース内にあるものになっているが、両センサを別々のケースに分けてもよいことは勿論であり、その場合、設置場所の環境に応じて、両センサを近づけて設けたり、離して設けたりしてもよい。また、本実施の形態において、放火センサ４は火災感知手段の一例であり、この放火センサ４に代えて、人体の感知機能は失われるが、人体センサを有しない火災感知手段としてもよいことは勿論である。
【００３８】
そして、放水ヘッド１は、防火対象が建物等である場合、その外壁や床下等に沿って延在し、外壁や床下等と火源に向かって放水可能に配設されるものとすることができ、具体的には、例えば、図６（ａ）に示すように、防火対象が建物Ｈである場合、放水ヘッド１は、その建物Ｈの軒下Ｅに外壁Ｗに沿って延在して配設されたものとすることができる。なお、図６（ａ）では、放水ヘッド１を建物Ｈの幅に合わせた一本のパイプで表しているが、複数の短いパイプを建物Ｈの幅に合わせて横方向に放水ムラがないように並べてもよく、そうすることで、設置場所毎にパイプ長さを変えなくてもよいし、運搬し易くなる。
【００３９】
この図６（ａ）は、放火犯Ｃの放火により発生した火災に対して、消火設備Ｓが放水起動した際の状態を示したものである。放火犯Ｃによる放火は、その着火Ｆ１や火源Ｆ２の炎を炎センサが感知し、放火犯Ｃの存在を人体センサが感知することにより感知することができ、その感知により消火設備Ｓは放水起動することとなる。消火設備Ｓが放水起動することで、放水ヘッド１は、その中心軸回りに回転しながら放水Ｔすることとなるが、図６（ａ）及び（ｂ）に示すように、その回転の途中で外壁Ｗに向けて放水Ｔしたり、図示は省略するが火源Ｆ２に向けて放水したりすることができ、放水ヘッド１がそのように放水することで、消火設備Ｓは、外壁Ｗ、延いては建物Ｈが燃えるのを防ぎつつ、火源Ｆ２の火を消したり、その勢いを抑制したりすることができる。なお、着火Ｆ１があった段階で、放水起動するようにすれば（例えば炎センサの感度を高く設定する）、放火犯Ｃを牽制して、放火を未然に防ぐようにすることができる。
【００４０】
最後に、消火設備Ｓにおける消火水供給源について説明する。図１に示しているものは、消火水の供給源として、水道を利用している。水道を利用することで、設備費を安くできるという利点があるが、放水量と放水圧が不足することがある。そこで、設備費用は高くなるが、水道を利用するのに代えて、貯水タンクと送水ポンプを利用することもできる。具体的には、例えば、図７に示すように、消火水供給源を貯水タンクＴＡと送水ポンプＰからなるものとし、それに一斉開放弁２の一次側配管Ｐ１を接続したものとすることができる。これにより放水量と放水圧を高くすることができ消火能力を高めることができる。なお、ＳＰは送水ポンプＰと放火抑制制御盤５とを接続する信号線であり、放水起動時に放火抑制制御盤５から送水ポンプＰに起動信号を送るためのものである。
【符号の説明】
【００４１】
１    放水ヘッド
１ａ  放水孔
１ｗ  周壁
２    一斉開放弁
３    電動弁
４    放火センサ
５    放火抑制制御盤
６    回転継手機構
７    カバー体
Ｓ    消火設備
【図１】
2011194016.tif 000003
【図２】
2011194016.tif 000004
【図３】
2011194016.tif 000005
【図４】
2011194016.tif 000006
【図５】
2011194016.tif 000007
【図６】
2011194016.tif 000008
【図７】
2011194016.tif 000009